(57)【要約】【課題】ワイパー部によりインク等の液体の飛散を機器全体が大型化することなく大幅に抑制することができる液体噴射ヘッドのクリーニング方法等を提供すること。【解決手段】液体を吐出するノズル開口部と、ノズル開口部を備えるノズル形成部２１と、ノズル形成部を保持するためのカバー部１９と、ノズル形成部の表面を払拭するためのワイパー部１７を配置するためのリブ部１８と、を有し、ワイパー部がノズル形成部の表面を払拭し、カバー部に到達した際に停止し、カバー部から離間する第１のワイピング工程と、第１のワイピング工程の後、ワイパー部が少なくともカバー部を払拭し、リブ部に到達した際に停止し、リブ部から離間する第２のワイピング工程と、を有する液体噴射ヘッドのクリーニング方法。【選択図】図５
2007276424.tif 000002
【特許請求の範囲】
【請求項１】
液体を吐出するノズル開口部と、
前記ノズル開口部を備えるノズル形成部と、
前記ノズル形成部を保持するためのカバー部と、
前記ノズル形成部の表面を払拭するためのワイパー部を配置するためのリブ部と、を有
する液体噴射ヘッドのクリーニング方法であって、
前記ワイパー部が前記ノズル形成部の表面を払拭し、前記カバー部に到達した際に停止
し、前記カバー部から離間する第１のワイピング工程と、
前記第１のワイピング工程の後、前記ワイパー部が少なくとも前記カバー部を払拭し、
前記リブ部に到達した際に停止し、前記リブ部から離間する第２のワイピング工程と、を
有することを特徴とする液体噴射ヘッドのクリーニング方法。
【請求項２】
前記ノズル開口部を覆うようにキャップ部を配置し、ポンプ部の駆動により前記キャッ
プ部内を負圧とし、前記ノズル形成部から液体を除去する液体吸引工程を備え、
前記液体吸引工程には、液体の吸引速度が遅く、前記ノズル形成部から微量の液体を除
去する微量液体吸引工程と、
前記微量液体吸引工程に先立ち、液体の吸引速度が速く、前記ノズル形成部から通常量
の液体を除去する通常量液体吸引工程とを有し、
前記第１のワイピング工程は、通常量液体吸引工程後に行なわれ、前記第２のワイピン
グ工程は、前記微量液体吸引工程後に行なわれることを特徴とする請求項１に記載の液体
噴射ヘッドのクリーニング方法。
【請求項３】
液体を吐出するノズル開口部と、
前記ノズル開口部を備えるノズル形成部と、
前記ノズル形成部を保持するためのカバー部と、
前記ノズル形成部の表面を払拭するためのワイパー部を配置するためのリブ部と、を有
する液体噴射ヘッドを有する液体噴射装置であって、
前記ワイパー部が前記ノズル形成部の表面を払拭し、前記カバー部に到達した際に停止
し、前記カバー部から離間し、
その後、前記ワイパー部が少なくとも前記カバー部を払拭し、前記リブ部に到達した際
に停止し、前記リブ部から離間する構成となっていることを特徴とする液体噴射装置。
【請求項４】
前記リブ部とカバー部の高さが略同様になるように構成されていることを特徴とする請
求項３に記載の液体噴射装置。
【請求項５】
液体を吐出するノズル開口部と、
前記ノズル開口部を備えるノズル形成部と、
前記ノズル形成部の表面を払拭するためのワイパー部を配置するためのリブ部と、を有
する液体噴射ヘッドのクリーニング方法であって、
前記ワイパー部が前記ノズル形成部の表面を払拭し、前記リブ部に到達した際に停止し
、前記リブ部から離間する離間工程を有し、
前記離間工程には、前記ワイパー部が前記リブ部に接触した状態で、段階的に徐々に離
間する多段階移動工程が含まれることを特徴とする液体噴射ヘッドのクリーニング方法、
【請求項６】
前記多段階移動工程では、前記ワイパー部が前記液体噴射ヘッドを払拭している方向と
は、逆方向に前記ワイパー部を移動させる工程が含まれていることを特徴とする請求項５
に記載の液体噴射ヘッドのクリーニング方法。
【請求項７】
液体を吐出するノズル開口部と、
前記ノズル開口部を備えるノズル形成部と、
前記ノズル形成部の表面を払拭するためのワイパー部を配置するためのリブ部と、を有
する液体噴射ヘッドを有する液体噴射装置であって、
前記ワイパー部が前記ノズル形成部の表面を払拭し、前記リブ部に到達した際に停止し
、前記カバー部から離間し、
前記離間は、前記ワイパー部が前記リブ部に接触した状態で、段階的に徐々に離間する
構成となっていることを特徴とする液体噴射装置。
【発明の詳細な説明】
【技術分野】
【０００１】
本発明は、記録用紙等に対して印字等をするための液体噴射ヘッドのクリーニング方法
及び液体噴射装置に関するものである。
【背景技術】
【０００２】
従来より、インクジェット式記録装置は、記録用紙等にインクを吐出するためのインク
ジェット式記録ヘッドを有している。このインクジェット式記録ヘッドは、ノズルを介し
てインクを記録用紙等に吐出するため、ノズル近傍においてインクが増粘したり、ノズル
内に気泡が混入したりして、インクの吐出が良好に行えなくなるおそれがあった。
このため、インクジェット式記録装置には、これらの現象を回避するためヘッドクリー
ニング装置が備えられている。
【０００３】
ヘッドクリーニング装置は、ノズルを覆うように配置されるキャッピング部と、このキ
ャッピング部内を負圧にするためのポンプを有し、ノズル近傍等のインクをポンプで吸引
し、さらにノズルが形成されているノズルプレートに付着したインクをワイパー部材で払
拭する構成となっている。
しかし、ワイパー部材は、少し撓みながらノズルプレート上を移動するため、ノズルプ
レート上からワイパー部材が離れるときは、ワイパー部材が撓んだ状態から撓む前の状態
に戻ろうとすることになる。このとき、ワイパー部材が急激に撓む前の状態に急激に戻ろ
うとすると、ワイパー部材に付着しているインクが飛散して、インクジェット式記録ヘッ
ドの側面等に付着し、インクジェット式記録装置の回路基板等に不具合を発生させるおそ
れがあった。
また、プリンタ外装の内壁まで飛散したインクが内壁に付着して溜まった後、垂れて外
装の外に流れ出すおそれがあった。
【０００４】
このため、ノズルプレート上で撓んだワイパー部材が急激に撓む前の状態に急激に戻ら
ないように、インクジェット式記録ヘッドの近傍に緩斜面を備える提案がある（例えば、
引用文献１）。
【特許文献１】特開２００２−１６０３７７号公報（図５等）
【発明の開示】
【発明が解決しようとする課題】
【０００５】
しかし、この緩斜面等を用いても、緩斜面等の部材の形状とノズル形成部（ノズルプレ
ート）の間にクリアランスを設ける必要があり、その溝にワイパー先端が落ちるときに発
生するインク等の飛散が有効に防止できないという問題があった。詳しく説明すると、ワ
イパー先端がノズル形成部から緩斜面に移動する際に、上記溝にワイパー先端が落ちるた
め、ワイパー先端がノズル形成部から離間した直後、ワイパー部材が撓む前の状態に急激
に戻り、インクが飛散してしまっていた。
また、緩斜面等でインク等の飛散を抑制するには、どうしても緩斜面等の部材が大型化
し、液体噴射装置が大型化するという問題もあった、
【０００６】
そこで、本発明は、ワイパー部からのインク等の液体の飛散を機器全体が大型化するこ
となく大幅に抑制することができる液体噴射ヘッドのクリーニング方法及び液体噴射装置
を提供すること目的とする。
【課題を解決するための手段】
【０００７】
前記課題は、本発明によれば、液体を吐出するノズル開口部と、前記ノズル開口部を備
えるノズル形成部（ノズルプレート）と、前記ノズル形成部を保持するためのカバー部と
、前記ノズル形成部の表面を払拭するためのワイパー部を配置するためのリブ部と、を有
する液体噴射ヘッドのクリーニング方法であって、前記ワイパー部が前記ノズル形成部の
表面を払拭し、前記カバー部に到達した際に停止し、前記カバー部から離間する第１のワ
イピング工程と、前記第１のワイピング工程の後、前記ワイパー部が少なくとも前記カバ
ー部を払拭し、前記リブ部に到達した際に停止し、前記リブ部から離間する第２のワイピ
ング工程と、を有することを特徴とする液体噴射ヘッドのクリーニング方法により達成さ
れる。
【０００８】
前記構成によれば、ワイパー部がノズル形成部の表面を払拭し、カバー部に到達した際
に停止し、カバー部から離間する第１のワイピング工程と、第１のワイピング工程の後、
ワイパー部が少なくともカバー部を払拭し、リブ部に到達した際に停止し、リブ部から離
間する第２のワイピング工程とを有している。
すなわち、第１のワイピング工程では、ノズル表面部の液体をワイパー部が払拭しても
、ワイパー部はノズル形成部を保持するためのカバー部で停止する。したがって、撓んだ
状態のワイパー部が、ノズル形成部等から離れる際に、急激に復元するという現象が発生
しないので、ワイパー部が保持している液体が、ワイパー部の復元と共に飛散することを
防ぐことができる。
また、第１のワイピング工程で、ワイパー部がカバー部から離間して、例えば下降する
と、ノズル形成部の払拭によりワイパー部に付着した液体は、ワイパー部が垂直に戻るこ
とで重力により下に垂れて、ワイパー部から排出される。
また、ワイパー部に当接するクリーナ（吸収材）を備える構成では、ワイパー部に付着
した液体が、クリーナに移動することでワイパー部から排出される。
しかし、この第１のワイピング工程では、ワイパー部がカバー部で停止していたため、
カバー部にワイパー部が払拭した液体の一部が残存することとなる。
この状態を放置すると、液体噴射ヘッドが記録用紙等に印字等をする際、カバー部が記
録用紙に接触して記録用紙等を汚してしまうことがあった。
【０００９】
このため、前記構成では、第２のワイピング工程により、カバー部に残存している液体
を払拭し、リブ部で停止させ、その後、ワイパー部をリブ部から離間させている。
これにより、カバー部の残存液体を除去でき、液体噴射ヘッドの印刷等の際に生じる、
記録用紙等への液体の転写を防止することができる。
このように、前記構成では、リブ部は、移動状態のワイパー部の撓みの復元を抑える機
能を果たすものではないので、従来の緩斜面等のように大型の部品を配置する必要はなく
、小型化することができる。
以上のように、前記構成によれば、機器全体を大型することなく、ワイパー部による液
体の飛散を大幅に抑制することができる。
【００１０】
好ましくは、前記ノズル開口部を覆うようにキャップ部を配置し、ポンプ部の駆動によ
り前記キャップ部内を負圧とし、前記ノズル形成部から液体を除去する液体吸引工程を備
え、前記液体吸引工程には、液体の吸引速度が遅く、前記ノズル形成部から微量の液体を
除去する微量液体吸引工程と、前記微量液体吸引工程に先立ち、液体の吸引速度が速く、
前記ノズル形成部から通常量の液体を除去する通常量液体吸引工程とを有し、前記第１の
ワイピング工程は、通常量液体吸引工程後に行なわれ、前記第２のワイピング工程は、前
記微量吸引工程後に行なわれることを特徴とする液体噴射ヘッドのクリーニング方法であ
る。
【００１１】
前記構成によれば、第１のワイピング工程は、ノズル形成面からの液体の吸引が多い通
量液体吸引工程で行われるので、ワイパー部による液体の飛散を効果的に抑制することが
できる。
【００１２】
前記課題は、本発明によれば、液体を吐出するノズル開口部と、前記ノズル開口部を備
えるノズル形成部と、前記ノズル形成部を保持するためのカバー部と、前記ノズル形成部
の表面を払拭するためのワイパー部を配置するためのリブ部と、を有する液体噴射ヘッド
を有する液体噴射装置であって、前記ワイパー部が前記ノズル形成部の表面を払拭し、前
記カバー部に到達した際に停止し、前記カバー部から離間し、その後、前記ワイパー部が
少なくとも前記カバー部を払拭し、前記リブ部に到達した際に停止し、前記リブ部から離
間する構成となっていることを特徴とする液体噴射装置により達成される。
【００１３】
好ましくは、前記リブ部とカバー部の高さが略同様になるように構成されていることを
特徴とする液体噴射装置である。
【００１４】
前記構成によれば、リブ部とカバー部の高さが略同様となっているので、カバー部から
リブ部にかけてワイパー部が移動しても、ワイパー部に大きな衝撃等を加えることがない
ので、ワイパー部が保持している液体が飛散するのを抑制することができる。
【００１５】
前記課題は、本発明によれば、液体を吐出するノズル開口部と、前記ノズル開口部を備
えるノズル形成部と、前記ノズル形成部の表面を払拭するためのワイパー部を配置するた
めのリブ部と、を有する液体噴射ヘッドのクリーニング方法であって、前記ワイパー部が
前記ノズル形成部の表面を払拭し、前記リブ部に到達した際に停止し、前記カバー部から
離間する離間工程を有し、前記離間工程には、前記ワイパー部が前記リブ部に接触した状
態で、段階的に徐々に離間する多段階移動工程が含まれることを特徴とする液体噴射ヘッ
ドのクリーニング方法により達成される。
【００１６】
前記構成によれば、ワイパー部がノズル形成部の表面を払拭し、リブ部に到達した際に
停止し、カバー部から離間する離間工程を有し、離間工程には、ワイパー部がリブ部に接
触した状態で、段階的に徐々に離間する多段階移動工程が含まれている。
すなわち、ワイパー部は撓んだ状態で、リブ部で停止し更に進むことがない。このため
、ワイパー部の撓みが復元する際に生じる液体の飛散を大幅に抑えることができる。
従来は、ワイパー部の撓みの復元を抑えるために緩斜面等の大型の部品を必要としてい
たが、前記構成では、そのような大型の部品が不要なため、機器を小型化することができ
る。
【００１７】
また、前記構成では、撓んだ状態のワイパー部を復元させるために多段階移動工程を有
している。すなわち、撓んだ状態のワイパー部をリブ部に接触させた状態で、段階的に徐
々に離間させることで、ワイパー部の撓みの急激な復元を回避でき、ワイパー部が保持す
る液体が飛散することを大幅に抑制することができる。
また、ワイパー部の撓みを徐々に復元させることで、ワイパー部に保持されている液体
がワイパー部に沿って例えば、落下して他へ排出されるので、ワイパー部が保持する液体
の量も少なくすることができる。したがって、この点からも、ワイパー部により液体の飛
散を大幅に抑制することができる。
【００１８】
好ましくは、前記多段階移動工程では、前記ワイパー部が前記液体噴射ヘッドを払拭し
ている方向とは、逆方向に前記ワイパー部を移動させる工程が含まれていることを特徴と
する液体噴射ヘッドのクリーニング方法である。
【００１９】
前記構成によれば、多段階移動工程では、ワイパー部が液体噴射ヘッドを払拭している
方向とは、逆方向にワイパー部を移動させる工程が含まれている。このため、このように
、液体噴射ヘッドを逆方向に移動させることで、ワイパー部の反りが解消される。
したがって、単にワイパー部をリブ部から段階的に離間させるだけでなく、このように
ワイパー部の反りを解消させるようにする動作も含ませることで、より確実にワイパー部
の撓みの復元による液体の飛散を抑制することができる。
【００２０】
前記課題は、本発明によれば、液体を吐出するノズル開口部と、前記ノズル開口部を備
えるノズル形成部と、前記ノズル形成部の表面を払拭するためのワイパー部を配置するた
めのリブ部と、を有する液体噴射ヘッドを有する液体噴射装置であって、前記ワイパー部
が前記ノズル形成部の表面を払拭し、前記リブ部に到達した際に停止し、前記リブ部から
離間し、前記離間は、前記ワイパー部が前記リブ部に接触した状態で、段階的に徐々に離
間する構成となっていることを特徴とする液体噴射装置により達成される。
【発明を実施するための最良の形態】
【００２１】
以下、この発明の好適な実施の形態を添付図面等を参照しながら、詳細に説明する。
尚、以下に述べる実施の形態は、本発明の好適な具体例であるから、技術的に好ましい
種々の限定が付されているが、本発明の範囲は、以下の説明において特に本発明を限定す
る旨の記載がない限り、これらの態様に限られるものではない。
【００２２】
（第１の実施の形態）
図１は、本発明の液体噴射装置の第１の実施の形態にかかるインクジェット式記録装置
（以下「記録装置」という）１０を示す概略斜視図であり、図２は、図１の記録装置１０
の要部を示す概略説明図である。
図１に示すように、記録装置１０は、記録装置本体１１を有し、記録装置本体１１の両
側には、液体である例えば、インクを収容するインクカートリッジ１２ａ等が、それぞれ
４個ずつ配置されている。
すなわち、図１の記録装置１０は、８色のインクを備えることができる構成となってい
る。
【００２３】
また、図２に示すように、記録装置１０は液体噴射ヘッドである例えば、インクジェッ
ト式記録ヘッド（以下「記録ヘッド」という）２０を有している。
この記録ヘッド２０は、図２に示すようにキャリッジ１３に保持され、図１の矢印Ｘ１
方向に移動可能な構成となっている。
このように、本実施の形態の記録装置１０は、インクカートリッジ１２ａ等がキャリッ
ジ１３上に配置されない、いわゆるオフキャリッジの形式となっている。この形式では、
インクはインクカートリッジ１２ａ等からチューブ等を介して記録ヘッド２０に供給され
る構成となっている。
【００２４】
また、図１に示すように、記録装置１０には、記録用紙Ｋに対して記録ヘッド２０が印
字等する領域である印字領域Ｐを有している。したがって、記録用紙Ｋに印字等するとき
は、記録ヘッド２０はキャリッジ１３により印字領域Ｐに配置される構成となっている。
ところで、記録ヘッド２０は、図２の下面側にインクを吐出するノズル開口部である例
えば、ノズルを備えるノズルプレート２１を有している。つまり、ノズルプレート２１は
、ノズル形成部の一例となっている。
また、図２に示すように、記録ヘッド２０には、そのノズルプレート２１を保持するた
めのカバー部である例えば、カバーヘッド１９が配置されている。
【００２５】
また、インクは、ノズルプレート２１のノズルから吐出されるため、記録装置１０には
、これらのノズルからのインク吐出を良好な状態に維持するためのクリーニング機構が備
えられている。
具体的には、図１の印字領域Ｐとは、異なる部分、例えば図１の記録装置本体１１の右
側には、このクリーニング機構が配置されている領域であるホームポジションが、記録装
置本体１１に形成されている。
【００２６】
図２には、かかるクリーニング機構の主な構成が示されている。
図２に示すように、ホームポジションには、記録ヘッド２０のノズルを覆うように配置
されるキャップ部１４が形成されている。
このキャップ部１４は、図２の記録ヘッド２０のノズルプレート２１に当接する位置と
、ノズルプレート２１から離間した位置（図２に示す位置）とを、図２の矢印Ｙ方向に沿
って移動可能な構成となっている。
すなわち、記録ヘッド２０のノズルをクリーニングするときは、キャップ部１４が上昇
して、ノズルプレート２１と当接し、ノズルを覆うように配置され、クリーニングが終了
すると、キャップ部１４が下降して、記録ヘッド２０がキャリッジ１３により図１の印字
領域Ｐに移動することができる構成となっている。
具体的には、例えば、後述するポンプ１５のモータの駆動力やカム機構等を用いて上下
する機構となっている。
【００２７】
また、キャップ部１４には、ノズル等からのインクを吸収するためのインク吸収材１４
ｂが配置されている。
そして、キャップ部１４には、図２に示すようにポンプ１５が接続され、ポンプ１５の
駆動により、キャップ部１４がノズルプレート２１に当接したときは、その内部が負圧と
なる構成となっている。
つまり、ポンプ１５の駆動により、キャップ部１４内のインクが吸引され、吸引された
インクが、インク吸収材１４ｂを介して、図２の廃インクタンク１６内に排出される構成
となっている。
【００２８】
また、キャップ部１４には、図２に示すように、キャップ部１４の内部の負圧を大気圧
に戻すための空気バルブ弁１４ａが形成されている。
これは、負圧状態のキャップ部１４を、そのまま下降させると、急激な圧力変化がノズ
ル内部に生じ、記録ヘッド２０に吐出不良が生じることを未然に防ぐための機構である。
さらに、キャップ部１４の内部を大気開放させることで、キャップ部１４をノズルプレ
ート２１に当接させた状態で、ポンプ１５を駆動させ、キャップ部１４内部のインクを排
出し、廃インクタンク１６へと導くことを可能にするための機構である。
【００２９】
また、図２に示すように、ホームポジションには、ワイパー部１７が設けられている。
ワイパー部１７は、例えば、エラストマ等からなり、直接にノズルプレート２１に当接し
、その表面を払拭するワイパーブレード１７ａを有している。
すなわち、ワイパーブレード１７ａは、ノズルプレート２１に当接すると、撓んで屈曲
し、屈曲状態で、ノズルプレート２１の表面を相対的に移動することで、ノズルプレート
２１の表面をクリーニングする構成となっている。
また、ワイパー部１７は、図２の矢印Ｙ方向に移動可能な構成となっている。すなわち
、ワイパー部１７は、記録ヘッド２０のノズルプレート２１に対して近接方向又は離間方
向に移動し、図２の矢印Ｓで示す、記録ヘッド２０に対する干渉量が変更可能な構成とな
っている。
具体的には、ポンプ１５のモータの駆動力やカム機構等を用いて上下に移動可能な構成
となっている。なお、ワイパー部１７と上述したキャップ部１４とは、別のカム機構等で
構成されているため、別個に移動可能な構成となっている。
【００３０】
ところで、図２に示すように、記録ヘッド２０には、ワイパー部１７のワイパーブレー
ド１７ａが図において左から右方向に移動し、ノズルプレート２１の表面を払拭するワイ
パーブレード１７ａを配置するためのリブ部であるリブ１８が形成されている。
また、図２に示すように、リブ１８の下面の高さとカバーヘッド１９の下面の高さは略
同様になるようい構成されている。
なお、本実施の形態では、リブ１８は記録ヘッド２０に設けられているが、これに限ら
ず、キャリッジ１３に設けられても良い。
【００３１】
本実施の形態にかかる記録装置１０は、以上のように構成されているが、以下、記録ヘ
ッド２０の主なクリーニング動作等について説明する。
図３及び図４は、本実施の形態にかかる記録ヘッド２０のクリーニング方法を示す概略
フローチャートである。
先ず、記録ヘッド２０をクリーニングするときは、キャリッジ１３が図１のＸ１方向に
沿って移動し、記録ヘッド２０をホームポジションまで移動させる。
すると、図２のキャップ部１４が、矢印Ｙ方向に上昇して、記録ヘッド２０のノズルプ
レート２１に当接する（ＳＴ１）。
そして、ポンプ１５が駆動して、キャップ部１４の内部を負圧状態にして、ノズル内の
乾燥により増粘したインクや異物、気泡をキャップ部１４内のインク吸収材１４ｂを経て
廃インクタンク１６に排出する、いわゆる本吸引動作が行われる（ＳＴ２）。
本吸引動作は、インクの吸引速度が例えばキャップ当たり０．６０〜１．２ｇ／ｓと速
く、ノズルプレート２１から例えば、０．６０〜３．２７ｇのインクを吸引する動作であ
る。
つまり、本吸引動作は、ノズルプレート２１等から通常量のインクを除去する通常量液
体吸引工程の一例となっている。
【００３２】
次に、図３のＳＴ３に示すように、負圧解除工程に移行する。負圧解除操作は、本吸引
動作により発生したキャップ部１４内の負圧によりインクがキャップ部１４に流れ込み、
インクが流れ込むことにより負圧が低下していくのを待つ操作である。
キャップ部１４へのインクの流れは負圧が完全に解消されるまで続く。負圧解除工程の
待機時間は、負圧が完全に解消し、インクの流れが止まる時間に設定する。
続いて、ＳＴ４に示すように、図２のキャップ部１４の空気バルブ１４ａを閉状態から
開状態に変更して大気開放し、ＳＴ５の空吸引工程に移る。
空吸引工程では、キャップを閉じたまま、空気バルブ１４ａを開いて大気開放した状態
で、ポンプ１５を駆動させることで、キャップ部１４内のインクを廃インクタンク１６ま
で排出する。  
【００３３】
次に、ＳＴ６でキャップ部１４がノズルプレート２１から離間し、図２のようにキャッ
プ部１４は下降する。
次に、ＳＴ７でワイパーブレード１７ａの先端がノズルプレート２１に当接する高さま
でワイパー部１７が上昇し、次に、ＳＴ８でワイピング動作が実行される。図２の構成で
は、キャリッジ１３の左方向の移動によって、記録ヘッド２０が図２の左方向に移動し、
ワイパーブレード１７ａは、図２の左右方向に動かないので、結果としては、ワイパーブ
レード１７ａの先端がノズルプレート２１についたインクをノズルプレート２１の左側か
ら右側へと拭き取ることになる。
以下、説明の便宜のため、ワイパーブレード１７ａの移動と表現する。
【００３４】
図５（ａ）は、ＳＴ８で、ワイパーブレード１７ａがカバーヘッド１９部分で停止した
状態を示す概略説明図である。
図５（ａ）に示すように、ＳＴ８で、ワイパーブレード１７ａは、矢印Ｘ方向に移動す
るため、ノズルプレート２１の表面に当接して、ワイパーブレード１７ａが撓んだ状態で
移動する。そして、ノズルプレート２１の表面に付着しているインクを拭き取った後、そ
れを保持した状態で、カバーヘッド１９で停止することになる。
次に、図３のＳＴ９で、ワイパー部１７が下げられる。つまり、図５（ａ）の矢印Ｙ方
向に沿って、下側にワイパー部１７が下降する。これで、本吸引動作に関するクリーニン
グ動作が終了する。
つまり、ＳＴ８及びＳＴ９は、ワイパー部１７がノズルプレート２１の表面を払拭し、
カバーヘッド１９に達した際に停止し、カバーヘッド１９から離間する第１のワイピング
工程の一例となっている。
【００３５】
このように、ＳＴ８及びＳＴ９では、ノズルプレート２１の表面のインクをワイパーブ
レード１７ａが払拭しても、ワイパーブレード１７ａは、図５（ａ）に示すようにカバー
ヘッド１９で停止する。
したがって、従来のように、撓んだ状態のワイパーブレード１７ａがノズルプレート２
１等から離れる際に、急激に復元するという現象が発生しないので、ワイパーブレード１
７ａが保持しているインクが、ワイパーブレード１７ａの復元と共に飛散するという事態
の発生を未然に防ぐことができる。
【００３６】
ところで、従来は、ワイパーブレードがノズルプレートを通過した後、撓んだワイパー
ブレードが急激に復元しないように、緩斜面等をキャリッジ等に形成していたが、一般に
、これら緩斜面等は、図５（ｃ）に示すように、２部材に分かれ、相互の間に溝が形成さ
れると共に、平行に配置されていることが多かった。このため、単一部材からなるノズル
プレートからワイパーブレードが２部材の緩斜面等に移動すると、ワイパーブレードが、
ノズルプレート上とは異なる変形をし、この変形等によりインクが飛散等するという問題
もあった。
この点、ＳＴ８及びＳＴ９では、ノズルプレート２１上のカバーヘッド１９で止まって
いるため、かかる変形がワイパーブレード１７ａに生じることがなく、インクの飛散が生
じ難い構成となっている。
【００３７】
また、ＳＴ９で、ワイパー部１７が下降すると、ワイパーブレード１７ａに保持された
インクがワイパー部１７に沿って落下し、ワイパー部１７近傍に設置した図示しない吸収
材へ排出される。
したがって、円滑にワイパーブレード１７ａが保持しているインクを排出することがで
きる。
【００３８】
ところで、ノズル内の気泡またはインクの除去は、この本吸引動作では未だ不十分な場
合が多いため、本吸引動作の仕上げ工程としての微量吸引が行われる。
この微量吸引はＳＴ２で行なわれる本吸引動作より、インクの吸引速度が例えば、０．
１４ｇ／ｓと遅く、ノズルから例えば、０．１５〜０．２９ｇのインクを吸引する動作で
ある。
すなわち、微量吸引工程は、インクの吸引速度が遅く、ノズルからの微量のインクを除
去する微量液体吸引工程（液体吸引工程）の一例となっている。
【００３９】
具体的には、図３のＳＴ９で示すように、先ず、先立って行なわれる本吸引動作の終了
後、所定時間が経過したか否かを判断し、その後、キャップ部１４が上昇し、ノズルプレ
ート２１に当接する（ＳＴ１０）。
その後、ＳＴ１１に示すように、ポンプ１５が動作して、上述の微量吸引動作が実行さ
れる（ＳＴ１２）。
その後、ＳＴ１３に示すように、図２のキャップ部１４の内部空間Ｉの負圧が下がり切
るまで待機する。
そして、負圧が大気圧近くまで下がった状態で、ＳＴ１４に示すように図２の空気バル
ブ１４ａを開放する。これにより、キャップ部１４の内部空間Ｉが大気開放され、ＳＴ１
５に示すように、ポンプ１５を駆動して吸引動作（空吸引動作）を行うことで、キャップ
内のインクを排出し、廃インクタンク１６まで導くことができる。これは、ノズル内のイ
ンクを吸引するのではなく、キャップ部１４のインクを吸引するための動作である。
【００４０】
ところで、ＳＴ１２のインクの微量吸引動作（工程）では、ポンプ１５の吸引速度が遅
いため、ノズルから排出されたキャップ部１４内に落下せず、そのままの、ノズル周辺の
ノズルプレート２１の表面に付着して溜まる傾向が、吸引速度が速い場合よりも高い。
これでは、その後に行なわれるワイピング動作でワイパーブレード１７ａが保持するイ
ンク量が多くなり、ワイパーブレード１７ａのインクが飛散して、記録ヘッド２０等に付
着し、回路基板等に不具合を発生させたり、インクが外装内壁を伝って機外へ漏れるおそ
れがあった。
また、微量吸引動作でノズルから排出されたインクは、泡状となってノズルプレート２
１の表面に付着し、その後のワイピング動作でワイパーブレード１７ａによって、その泡
をノズル内に擦り込み、ノズルにおけるインクの吐出不良の原因となるおそれもあった。
【００４１】
そこで、本実施の形態では、かかる事態の発生を未然に防止するため、以下の工程を設
けている。
すなわち、図４のＳＴ１６に示すように、ポンプ１５の吸引動作が終了した後、そのま
ま６秒間待機する待機工程を行なう。
【００４２】
このようにＳＴ１６で、待機工程を設けると、ＳＴ１１の微量吸引動作で、上述のよう
に、ノズルから排出され、ノズルプレート２１の表面に付着したインクも、その６秒間の
間に毛細管現象によって、ノズル内部に戻ることになる。
したがって、その後に行なうワイピング動作でワイパーブレード１７ａに付着するイン
ク量を少なくすることができ、ワイパーブレード１７ａから飛散するインク量を少なくす
ることができる。
このため、記録ヘッド２０等にインクが付着せず、回路基板等に不具合を生ぜしめたり
、インクが外装内壁を伝って機外へ漏れるおそれはがない。
【００４３】
また、ノズルから出たインクが泡状になっても、待機工程で泡がはじけ、キャップ部１
４のインク吸収材１４ｂに落下する。このため、その後に行なわれるワイピング動作でワ
イパーブレード１７ａにより、泡がノズル内に擦りこまれることがなく、ノズルにおける
インクの吐出不良等が発生するのを未然に防ぐことができる。
【００４４】
また、この待機時間は、ワイピング動作において、ワイパーブレード１７ａの撓みが戻
る際に発生するインクの飛散状態を観察することで定めたものである。
具体的には、待機時間０秒では、最もインクが飛散し、１秒から３秒では、徐々にイン
クの飛散が減少した。
待機時間を４秒以上に設定した場合は、インクの飛散がほとんど観察されなくなった。
したがって、待機時間は４秒とすることもできるが、本実施の形態では、より確実にイ
ンクの飛散を防止するため、６秒としている。
【００４５】
ところで、図４のＳＴ１６の待機時間が経過すると、ＳＴ１７に示すように、図２のキ
ャップ部１４が、ノズルプレート２１から離間し、図２の下方向に移動する。
そして、ワイパー部１７が上昇し（ＳＴ１８）ワイピング動作が行なわれる（ＳＴ１９
）。その後、ワイパー部１７が下降させられる（ＳＴ２０）。
図５（ｂ）は、ＳＴ１８におけるワイピング動作が実行され、ワイパーブレード１７ａ
がリブ部１８で停止した状態を示す概略説明図である。
すなわち、今回は、ワイパーブレード１７ａは、ノズルプレート２１の表面からカバー
ヘッド１９で止まらず、リブ１８まで達し、それらの表面を払拭する。
【００４６】
このように動作させるのは、以下の理由による。すなわち、上述の本吸引動作後のワイ
ピング動作（ＳＴ７乃至ＳＴ９）では、ワイパーブレード１７ａをカバーヘッド１９で停
止させ、そのまま下降させたため、ワイパーブレード１７ａが保持しているインクの一部
がカバーヘッド１９に残存することがある。
このようにカバーヘッド１９に残存しているインクは、記録ヘッド２０が図１の印字領
域Ｐで印字等をする際、記録用紙Ｋが接触して、記録用紙Ｋを汚してしまうおそれがあっ
た。
【００４７】
そこで、微量吸引動作後のワイピング動作（ＳＴ１８乃至ＳＴ２０）では、シーケンス
中最後のワイピングなので仕上げとして、カバーヘッド１９にインクが残存せず、印字を
行うときに、記録用紙Ｋを汚さない方法にて、ワイピングを行う。すなわち、カバーヘッ
ド１９に残存しているインクをワイパーブレード１７ａで払拭し、ワイパーブレード１７
ａをリブ１８で停止させる。そして、その後、ワイパー部１７は下降させられる。  
従って、ワイパーブレード１７ａは、残存インクを払拭することができるので、記録ヘ
ッド２０が図１の印字領域で印字等をする場合でも、カバーヘッド１９のインクで記録用
紙Ｋを汚すことを未然に防ぐことができる。
また、撓んだ状態のワイパーブレード１７ａは、ＳＴ２０で下降する際、急激に復元す
るが、上述したように、ＳＴ１６の待機状態を入れることで、ワイパーブレード１７ａに
保持されるインクが少なくなっているために、ワイパーブレード１７ａのインクが飛散す
ることがない。
また、リブ１８の高さとカバーヘッド１９に高さは、図５（ｂ）に示すように略同様で
あるため、ワイパーブレード１７ａがカバーヘッド１９からリブ１８へ移動しても、ワイ
パーブレード１７ａに大きな衝撃等が加わることがないので、ワイパーブレード１７ａが
保持しているインクが飛散することを未然に防ぐことができる。
【００４８】
したがって、本実施の形態では、リブ１８は、移動状態のワイパーブレード１７ａの撓
みの復元を抑える機能を果たすものではなく、リブ１８で停止しているワイパーブレード
１７ａを保持すれば足りるので、従来の緩斜面等のように、大型の部品を配置する必要が
ないので、記録装置１０を小型化することができる。
このように、ＳＴ１８乃至ＳＴ２０は、ＳＴ７乃至ＳＴ９の後、ワイパー部１７が、少
なくともカバーヘッド１９を払拭し、リブ１８に到達した際に停止し、リブ１８から離間
する第２のワイピング工程の一例となっている。
【００４９】
また、本実施の形態では、多くのインクを払拭してもインクの飛散が生じにくいＳＴ７
乃至ＳＴ９のワイピング動作を、本吸引動作（ＳＴ２）の後に行い、ＳＴ１５の第１の空
吸引後に待機時間を設けることで少量のインクの払拭に最適化しているＳＴ１８乃至ＳＴ
２０のワイピング動作を、微量吸引動作（ＳＴ１２）の後に行うので、ワイパーブレード
１７ａにおけるインクの飛散を効率的に抑えることができる組み合わせとなっている。
【００５０】
（第２の実施の形態）
図６は、本発明の第２の実施の形態の記録装置の主な動作等を示す概略フローチャート
である。
本実施の形態の記録装置の構成や、記録ヘッドの主な動作等の多くは、上述の第１の実
施の形態と同様であるため、共通する構成やフローチャートは同一符号等として説明を省
略し、以下、相違点を中心に説明する。
図６のＳＴ２３乃至ＳＴ２７の動作は、第１の実施の形態の図３のＳＴ８及びＳＴ９、
並びに図４のＳＴ１９及びＳＴ２０の変形例となっている。
【００５１】
具体的には、図６のＳＴ２３に示すように、本吸引動作又は微量吸引動作を行った後、
図２のワイパー部１７がワイピング動作を実行し、ワイパーブレード１７ａをリブ１８の
部分で停止する。
図７（ａ）は、ＳＴ２３におけるワイパーブレード１７ａの状態を示す概略説明図であ
る。図７（ａ）に示すように、ワイパーブレード１７ａは、図の左側からノズルプレート
２１に撓んだ状態で当接し、その表面を払拭し、図の矢印Ｘ方向に沿って移動して、リブ
１８に達すると停止する（具体的には、ワイパー部１７が移動するのではなく、記録ヘッ
ド２０がキャリッジ１３と共に移動する点は、第１の実施の形態と同様である。）
【００５２】
次に、本実施の形態では、ワイパー部１７を、１段階下降させる。このとき、ワイパー
ブレード１７ａとリブ１８とは離間しない状態となっている（ＳＴ２４）。
すなわち、第１の実施の形態のＳＴ９及びＳＴ２０では、ワイパー部１７を下降させる
ときは、１回でワイパーブレード１７ａがリブ１８から離間するようになっている。
しかし、本実施の形態では、最低で２回（２段階）下降して初めてワイパーブレード１
７ａがリブ１８から離間する構成となっている。
つまり、撓んだ状態のワイパーブレード１７ａをリブ１８に接触させた状態で、段階的
に徐々に離間させることで、ワイパーブレード１７ａの撓みの急激な復元を回避でき、ワ
イパーブレード１７ａが保持するインクが飛散するのを大幅に抑制することができる。
【００５３】
具体的には、このワイパーブレード１７ａの段階的な下降は、図２の干渉量Ｓに基づい
て定められる。
つまり、ワイパーブレード１７ａの干渉量Ｓより小さな値を定めれば、２段階目でワイ
パーブレード１７ａがリブ１８から離間するように設定することができる。
このときの干渉量Ｓは公差があるため、公差を考慮した最小の干渉量を基準にすれば２
段階等で離間させることができる。
これを３段階にする場合は、公差を考慮した最小の干渉量を２で割れば、３段階目でワ
イパーブレード１７ａがリブ１８から離れることになる。
このように、干渉量Ｓや、公差を考慮した干渉量を基準に１回の下降量を計算で定める
ことで、所望の段階数に設定することができる。
【００５４】
図７（ａ）及び（ｂ）は、ＳＴ２２の動作等を示す概略説明図である。図７（ａ）の状
態からワイパーブレード１７ａが１段階下降すると、図７（ｂ）となり、ワイパーブレー
ド１７ａがリブ１８に接触状態で下降することとなる。
また、本実施の形態では、ワイパーブレード１７ａを単に下降させるだけではなく、キ
ャリッジ１３をワイパーブレード１７ａの反りを戻す方向に移動させる工程を有している
（ＳＴ２５）。
このＳＴ２５は、ワイパー部１７が記録ヘッド２０を払拭している方向とは、逆方向に
ワイパー部１７を移動させる工程の一例である。
具体的には、図７（ｂ）の矢印Ｘ方向に、ワイパーブレード１７ａを移動させているが
、ワイパーブレード１７ａを矢印Ｘ方向と逆方向に移動させると、図７（ｃ）のように、
ワイパーブレード１７ａの反りが解消される。
したがって、単にワイパー部１７をリブ１８から段階的に離間させるだけでなく、ワイ
パーブレード１７ａの反りを解消する動作を含ませることで、より確実にワイパー部１７
の撓みの復元によりインクの飛散を防止することができる。
【００５５】
具体的には、ワイパーブレード１７ａの反りを戻すことで、ワイパーブレード１７ａの
先端とリブ１８などの間にメニスカスを作って溜まっていたインクがワイパーブレード１
７ａを伝って、下に落ちるので、その後、ワイパーブレード１７ａがリブ１８等から離れ
たときに、インクがワイパーブレード１７ａ先端から飛散する量自体が減ることになる。
さらに、ワイパーブレード１７ａの反りが緩和されているので、飛散するインクも減る
ことになる。
【００５６】
また、本実施の形態では、ＳＴ２６で１秒間放置する工程を含んでいる。すなわち、Ｓ
Ｔ２６の状態である、図７（ｃ）の状態は、ワイパーブレード１７ａの反りがなく配置さ
れている。このため、この状態で、１秒間放置することでワイパーブレード１７ａの先端
にあるインクをワイパーブレード１７ａに沿って下に落とすことで、ワイパーブレード１
７ａが保持するインク量を減らすことができる。
【００５７】
このように、ワイパーブレード１７ａの撓みを徐々に（段階的に）復元させることで、
インクの飛散が抑制された後、ＳＴ２５でもう１段階、ワイパー部１７が下降し、ワイパ
ーブレード１７ａはリブ１８から離れることになる。
【００５８】
したがって、ＳＴ２３乃至ＳＴ２７は、ワイパー部１７がノズルプレート２１の表面を
払拭し、リブ１８に到達した際に停止し、リブ１８から離間する離間工程の一例となって
いる。
また、ＳＴ２４乃至ＳＴ２７は、ワイパーブレード１７ａがリブ１８に接触した状態で
段階的に徐々に離間する多段階移動工程の一例となっている。
【００５９】
ところで、本実施の形態では、従来のような緩斜面等の大型部品は必要なく、小型のリ
ブ１８で足りるので、記録装置を小型化することができる点は、第１の実施の形態と同様
である。
【００６０】
本発明は、上述の実施の形態に限定されない。また、本発明は、インクジェット式記録
装置に限らず、プリンタ等の画像記録装置に用いられる記録ヘッド、液晶ディスプレイ等
のカラーフィルタの製造に用いられる色材噴射ヘッド、有機ＥＬディスプレー、ＦＥＤ（
面発光ディスプレー）等の電極形成に用いられる電極材噴射ヘッド、バイオチップ製造に
用いられる生体有機物噴射ヘッド等の液体を吐出する液体噴射ヘッドを用いた液体噴射装
置、精密ピペットとしての試料噴射装置等にも適用できる。
【図面の簡単な説明】
【００６１】
【図１】本発明の液体噴射装置の第１の実施の形態にかかるインクジェット式記録装置を示す概略斜視図である。
【図２】図１の記録装置の要部を示す概略説明図である。
【図３】本実施の形態にかかる記録ヘッドのクリーニング方法を示す概略フローチャートである。
【図４】本実施の形態にかかる記録ヘッドのクリーニング方法を示す他の概略フローチャートである。
【図５】（ａ）は、ＳＴ８で、ワイパーブレードがカバーヘッド部分で停止した状態を示す概略説明図であり、（ｂ）は、ＳＴ１９におけるワイピング動作が実行され、ワイパーブレードがリブ部で停止した状態を示す概略説明図であり、（ｃ）は、リブの形状、及びリブとカバーヘッドとノズルプレートの位置を示す概略説明図である。
【図６】本発明の第２の実施の形態の記録装置の主な動作等を示す概略フローチャートである。
【図７】（ａ）は、ＳＴ２３におけるワイパーブレードの状態を示す概略説明図であり、（ｂ）は、ＳＴ２４の動作等を示す概略説明図であり、（ｃ）は、ワイパーブレードの反りが解消された状態を示す概略説明図である。
【符号の説明】
【００６２】
１０・・・インクジェット式記録装置、１１・・・記録装置本体、１２ａ・・・インクカ
ートリッジ、１３・・・キャリッジ、１４・・・キャップ部、１４ａ・・・空気バルブ弁
、１４ｂ・・・インク吸収材、１５・・・ポンプ、１６・・・廃インクタンク、１７・・
・ワイパー部、１７ａ・・・ワイパーブレード、１８・・・リブ、１９・・・カバーヘッ
ド、２０・・・インクジェット式記録ヘッド、２１・・・ノズルプレート、Ｋ・・・記録
用紙、Ｐ・・・印字領域、Ｉ・・・キャップ部の内部空間、Ｓ・・・干渉量
【図１】
2007276424.tif 000003
【図２】
2007276424.tif 000004
【図３】
2007276424.tif 000005
【図４】
2007276424.tif 000006
【図５】
2007276424.tif 000007
【図６】
2007276424.tif 000008
【図７】
2007276424.tif 000009